(57)【特許請求の範囲】
【請求項１】
電力を供給し、また切断するために使用される電磁接触器又は電磁継電器と同期して動作する補助接点を備える補助接点ユニットであって、
前記電磁接触器又は電磁継電器は、
ケースに凹部と、該凹部から内部方向に設けられた第１の取付け溝と、前記ケースの端部に設けられた第２の取付け溝と、前記補助接点ユニットが有する補助接点を投入又は釈放するための可動絶縁台凸部と係合される可動絶縁台凹部を有し、
前記補助接点ユニットは、
ケースに凸部と、該凸部から外部方向に突出して設けられた固定フックと、前記ケースの表面をスライドし孔部を有するスライド板と、該スライド板の端部に設けられた可動フックを有し、さらに前記可動絶縁台凸部を前記スライド板の孔部から突出して有し、
前記補助接点ユニットの可動フックが前記電磁接触器又は電磁継電器の第２の取付け溝から乖離された状態で、前記補助接点ユニットの固定フックが前記電磁接触器又は電磁継電器の第１の取付け溝に、前記補助接点ユニットの可動絶縁台凸部が前記電磁接触器又は電磁継電器の可動絶縁台凹部に挿入された後、
前記補助接点ユニットの可動フックが前記電磁接触器又は電磁継電器のケース側に移動され、前記スライド板が前記補助接点ユニットのケースの表面をスライドすることで、前記補助接点ユニットの可動フックが前記電磁接触器又は電磁継電器の第２の取付け溝に係合されることにより、前記補助接点ユニットが電磁接触器又は電磁継電器に取付けられることを特徴とする電磁接触器又は電磁継電器用補助接点ユニット。
【請求項２】
請求項１に記載の電磁接触器又は電磁継電器用補助接点ユニットにおいて、前記補助接点ユニットの凸部と固定フック、及び前記電磁接触器又は電磁継電器の凹部と第１の取付け溝は各々２個であり、前記補助接点ユニットの可動フックと前記電磁接触器又は電磁継電器の第２の取付け溝は各々１個であることを特徴とする電磁接触器又は電磁継電器用補助接点ユニット。
【請求項３】
請求項１に記載の電磁接触器又は電磁継電器用補助接点ユニットにおいて、前記補助接点ユニットのケースとスライド板の間に弾性体を有し、該弾性体の荷重により前記可動フックを前記電磁接触器又は電磁継電器の第２の取付け溝に係合させることを特徴とする電磁接触器又は電磁継電器用補助接点ユニット。
【請求項４】
請求項１に記載の電磁接触器又は電磁継電器用補助接点ユニットにおいて、前記補助接点ユニットのスライド板は前記ケース面とは接触しない端面を有し、該端面を押すことにより前記補助接点ユニットの可動フックが前記電磁接触器又は電磁継電器の第２の取付け溝から乖離されて、前記補助接点ユニットが前記電磁接触器又は電磁継電器から取外されることを特徴とする電磁接触器又は電磁継電器用補助接点ユニット。
【発明の詳細な説明】
【技術分野】
【０００１】
本発明は電磁接触器及び電磁継電器用補助接点ユニットに係り、特に電磁接触器及び電磁継電器に対する取付けと取外しが容易な電磁接触器及び電磁継電器用補助接点ユニットに関する。
【背景技術】
【０００２】
電磁接触器及び電磁継電器は、例えば電動機などの装置への電力を供給し、また切断するために使用され、該電磁接触器及び電磁継電器と同期して動作する補助接点を有する補助接点ユニットは電磁接触器及び電磁継電器に対して着脱することができる。
周知のとおり電磁接触器及び電磁継電器は、励磁コイルの発生する電磁力によって動作し、内蔵する第１の可動部の動きに同期して投入、釈放を行う接点を有する。また補助接点ユニットは内蔵する補助接点を投入し、また釈放する第２の可動部を有する。補助接点ユニットを電磁接触器及び電磁継電器に取付ける際に、前記第１と第２の可動部が連結されることにより、電磁接触器及び電磁継電器の動作に同期して、補助接点ユニットは、弱電流や制御信号などの微小電流を開閉する役割を果たすことができる。
特許文献１や特許文献２は、補助接点ユニットを電磁接触器及び電磁継電器に取付けるための構造を開示しており、いずれも係合突起を使用する例を示している。
【先行技術文献】
【特許文献】
【０００３】
【特許文献１】特開平６−２２３６８９号公報
【特許文献２】実開昭５７−１５２７３７号公報
【発明の概要】
【発明が解決しようとする課題】
【０００４】
前記した特許文献で開示される取付け構造では、取付けや取外しが必ずしも容易ではない。電磁接触器及び電磁継電器が有する第１の可動部と補助接点ユニットが有する第２の可動部を連結させたうえで、補助接点ユニットが有する係合突起が電磁接触器及び電磁継電器の外面取付け溝の縁を乗り越えるようにして取付けることとなる。しかし、特許文献１の図１と図２から分かるように、前記可動部もしくは係合突起のいずれを先に位置合せしたとしても、残る一方の位置合せは難しい。双方とも各ユニットの筐体に対して位置が固定されていないためである。また取外しも必ずしも容易ではない。例えば係合突起をドライバの先で押して取外すことになるからである。
【０００５】
さらには、補助接点ユニットと電磁接触器及び電磁継電器は取付け状態にあったとしても、互いに結合面方向にある程度移動できる。このため、電磁接触器及び電磁継電器の開閉による振動などで結合面が磨耗しガタが生じて外れやすくなることが考えられる。また部品寸法のバラツキによっても外れやすくなる。
本発明の目的は前記した課題に鑑み、電磁接触器及び電磁継電器に対する取付けと取外しが容易な電磁接触器及び電磁継電器用補助接点ユニットを提供することにある。
【課題を解決するための手段】
【０００６】
前記の課題を解決するため本発明は、電磁接触器及び電磁継電器と同期して動作する補助接点を備える補助接点ユニットであって、前記電磁接触器及び電磁継電器は、ケースに凹部と、該凹部から内部方向に設けられた第１の取付け溝と、前記ケースの端部に設けられた第２の取付け溝を有し、前記補助接点ユニットは、ケースに凸部と、該凸部から外部方向に突出して設けられた固定フックと、前記ケースの表面をスライドするスライド板と、該スライド板の端部に設けられた可動フックを有し、前記補助接点ユニットの可動フックが前記電磁接触器及び電磁継電器の第２の取付け溝から乖離された状態で、前記補助接点ユニットの固定フックが前記電磁接触器及び電磁継電器の第１の取付け溝に、前記補助接点ユニットの凸部が前記電磁接触器及び電磁継電器の凹部に挿入された後、前記補助接点ユニットの可動フックが前記電磁接触器及び電磁継電器のケース側に移動され、前記スライド板が前記ケースの表面をスライドすることで、前記補助接点ユニットの可動フックが前記電磁接触器及び電磁継電器の第２の取付け溝に係合されることにより、前記補助接点ユニットが前記電磁接触器及び電磁継電器に取付けられることを特徴としている。
【発明の効果】
【０００７】
本発明によれば、電磁接触器及び電磁継電器に対する取付けと取外しが容易な電磁接触器及び電磁継電器用補助接点ユニットを提供することができ、ユーザの使い勝手の向上に寄与することができる。
【図面の簡単な説明】
【０００８】
【図１】本発明の一実施例における補助接点ユニットと電磁接触器を示す斜視図である。
【図２】本発明の一実施例における補助接点ユニットの断面図である。
【図３】本発明の一実施例における電磁接触器に対する補助接点ユニットの取付け方法を示す側面図である。
【図４】本発明の一実施例における補助接点ユニットの取外し方法を示す斜視図である。
【発明を実施するための形態】
【０００９】
以下、本発明の実施例につき図面を用いて説明する。
図１は本発明の一実施例における補助接点ユニットと電磁接触器を示す斜視図である。図２は本発明の一実施例における補助接点ユニットの断面図である。図２は図１に付した破線における断面図である。
【００１０】
図１において、向かって左側が電磁接触器、右側が補助接点ユニットである。
補助接点ユニットにおいて、１１はケース１から突出させた固定フック、１２はケース１に設けられた凸部である。２１は図面上で上下方向に移動するスライド板２から突出させた可動フック、３１は補助接点ユニットの有する補助接点を投入ないし釈放するための可動絶縁台凸部（前記した第２の可動部に相当する）である。
また、電磁接触器において、４１は前記補助接点ユニットの可動絶縁台凸部３１と係合される可動絶縁台凹部（前記した第１の可動部に相当する）である。４２は前記補助接点ユニットの可動フック２１を引っ掛け双方を結合させるための取付け溝である。４３は前記補助接点ユニットの固定フック１１を引っ掛け双方を結合させるための溝、及びケース凸部１２が挿入され前記補助接点ユニットの位置決めを行うための凹部である。
図２に示す補助接点ユニットにおいて、５はスライド板２とケース１との間に配置され可動フック２１と固定フック１１との距離を縮める方向に荷重をかける戻しばねである。
【００１１】
補助接点ユニットの２つの固定フック１１は電磁接触器の２つの溝４３に挿入され、また補助接点ユニットの２つの凸部１２は同じく電磁接触器の２つの凹部４３に挿入されて、補助接点ユニットの電磁接触器に対する位置決めがなされる。さらに後記するように、補助接点ユニットの可動フック２１が電磁接触器の取付け溝４２に係合することで、補助接点ユニットは電磁接触器に取付けられる。この際に、補助接点ユニットの可動絶縁台凸部３１と、電磁接触器の可動絶縁台凹部４１が係合されることで、補助接点ユニットの補助接点は弱電流や制御信号などの微小電流を開閉する役割を果たすことができる。
【００１２】
次に、補助接点ユニットを電磁接触器に取付ける方法について説明する。
図３は、本発明の一実施例における電磁接触器に対する補助接点ユニットの取付け方法を示す側面図である。図１と図２も参照しながら説明する。
【００１３】
まず、電磁接触器の取付け溝４３に補助接点ユニットのケース１から突出した固定フック１１を差込んだ後、補助接点ユニット全体を電磁接触器の方向に押し込むことで、ケース凸部１２が凹部４３に挿入され補助接点ユニットの位置決めが行われる。スライド板２から突出した可動フック２１は、先端のテーパー部が電磁接触器の側面をすべり、その上面まで移動することで取付け溝４２と係合する。その際スライド板２は戻しばね５によって荷重がかけられているため、可動フック２１は取付け溝４１側に押さえられガタが無いように固定される。
【００１４】
前記のように取付けについては、固定フック１１を取付け溝４３に差込み、補助接点ユニットを電磁接触器側に押し込むだけでできるため、容易な取付けができる。取付けスペースが少ない場合でも、周辺の器物が邪魔になることはなく容易な取付けができる。また、可動フック２１により電磁接触器の上側から押さえる構造であるため、電磁接触器の寸法の変化やバラツキも問題とならず、振動などによる補助接点ユニットの脱落も防止できる。
さらに、ケースの凹部４３と凸部１２で固定的な位置決めをするため、補助接点ユニットの可動絶縁台凸部３１と電磁接触器の可動絶縁台凹部４１の係合については、ユーザは意識する必要がないというメリットがある。これも取付けの容易化に大きく寄与している。
【００１５】
図４は、本発明の一実施例における補助接点ユニットの取外し方法を示す斜視図である。
スライド板２は戻しばね５で引かれている。スライド板２の一部を折り曲げて一体の下面２２を形成しておき、図４の矢印で示すように下面２２を押し込むことで、可動フック２１が取付け溝４２から外れるので、容易に取外すことができる。前記したようなドライバなどの工具を用いる必要はない。
【００１６】
以上述べた実施形態は一例であって、本発明の趣旨に基づく多くの変形例を考えることができる。いずれも本発明の範疇にある。
【符号の説明】
【００１７】
１：ケース、１１：固定フック、１２：ケース凸部、２：スライド板、２１：可動フック、２２：スライド板下面、３１：可動絶縁台凸部、４１：可動絶縁台凹部、４２：取付け溝、４３：取付け溝及び凹部、５：戻しばね。
【図１】
0005433428.tif 000002
【図２】
0005433428.tif 000003
【図３】
0005433428.tif 000004
【図４】
0005433428.tif 000005